(57)【要約】【課題】部分書き換え駆動を採用した電気泳動表示装置において、消費電力を低減しつつ、高品質な画像を表示する。【解決手段】電気泳動表示装置は、複数の画素（２０）からなる表示部（３）と、画像データに基づいて、複数の画素のうち一部の画素における画素電極（２１）及び共通電極（２２）間に駆動電圧を印加することにより、表示部に表示されている画像を部分的に書き換える部分書き換え駆動を行う駆動部（９１、９２、９３、９４、９５）と、電源電圧を昇圧して駆動電圧を駆動部に供給する電源回路（２００）と、一部の画素が表示部において占める書き換え領域の面積に応じて、電源回路の駆動電圧を供給する駆動電圧供給能力を変化させるように、電源回路を制御する制御部（１０）とを備える。【選択図】図１
2009294569.tif 000002
【特許請求の範囲】
【請求項１】
互いに対向する画素電極及び共通電極間に電気泳動粒子を含む電気泳動素子が夫々設けられた複数の画素からなる表示部と、
画像データに基づいて、前記複数の画素のうち一部の画素における前記画素電極及び前記共通電極間に駆動電圧を印加することにより、前記表示部に表示されている画像を部分的に書き換える部分書き換え駆動を行う駆動部と、
電源電圧を昇圧して前記駆動電圧を前記駆動部に供給する電源回路と、
前記一部の画素が前記表示部において占める書き換え領域の面積に応じて、前記電源回路の前記駆動電圧を供給する駆動電圧供給能力を変化させるように、前記電源回路を制御する制御部と
を備えることを特徴とする電気泳動表示装置。
【請求項２】
前記制御部は、前記書き換え領域の面積が小さいほど、前記駆動電圧供給能力が小さくなるように、前記電源回路を制御することを特徴とする請求項１に記載の電気泳動表示装置。
【請求項３】
前記制御部は、前記画像データに基づいて前記書き換え領域の面積を算出する算出部を有することを特徴とする請求項１又は２に記載の電気泳動表示装置。
【請求項４】
前記電源回路は、
発振動作を行うことにより、クロック信号を出力する発振回路と、
前記クロック信号に基づいてチャージポンプ動作を行うことにより、前記電源電圧を前記駆動電圧に昇圧する昇圧回路と
を有し、
前記制御部は、前記書き換え領域の面積が小さいほど、前記クロック信号の周波数が低くなるように、前記発振回路を制御する
ことを特徴とする請求項１から３のいずれか一項に記載の電気泳動表示装置。
【請求項５】
請求項１から４のいずれか一項に記載の電気泳動表示装置を備えることを特徴とする電子機器。
【発明の詳細な説明】
【技術分野】
【０００１】
本発明は、電気泳動表示装置及び該電気泳動表示装置を備える電子機器の技術分野に関する。
【背景技術】
【０００２】
この種の電気泳動表示装置は、複数の画素によって次のように表示を行う表示部を有する。各画素では、画素スイッチング素子を介してメモリ回路に画像信号を書き込んだ後、書き込まれた画像信号に応じた画素電位により画素電極が駆動され、共通電極との間に電圧が印加される。これによって画素電極及び共通電極間の電気泳動素子を駆動することにより表示を行う。また、この種の電気泳動表示装置では、表示部に表示されている画像を書き換える際、画像が部分的にしか変化しない場合には、変化する部分に対応する画素のみにおける画素電極及び共通電極間に電圧を印加することにより、画像を部分的に書き換える駆動方法（以下、この駆動方法を「部分書き換え駆動」と適宜称する）が採用されることがある。
【０００３】
一方、この種の電気泳動表示装置は、例えばチャージポンプ型のＤＣ−ＤＣコンバータ（直流電圧変換器）等からなる昇圧回路を含む電源回路を備えており、この電源回路によって供給される電力によって表示部における電気泳動素子が画素毎に駆動される。
【０００４】
例えば特許文献１には、低負荷時にはチャージポンプ回路（即ち、チャージポンプ型のＤＣ−ＤＣコンバータ）を低い動作周波数で動作させ、高負荷時にはチャージポンプ回路を高い動作周波数で動作させることで、高負荷時の電流能力を満足させながら低負荷時のチャージポンプ回路の消費電力を抑えるようにしたチャージポンプ回路の制御回路が開示されている。
【０００５】
【特許文献１】特開２００７−２４４１６４号公報
【発明の開示】
【発明が解決しようとする課題】
【０００６】
上述した部分書き換え駆動が採用される場合、表示部における画像が書き換えられる部分の面積の大きさ（言い換えれば、画像を部分的に書き換える際における、画素電極及び共通電極間に電圧を印加すべき画素の数）によって、電源回路が表示部に供給すべき電力量は異なる。そこで、電源回路が例えばチャージポンプ型のＤＣ−ＤＣコンバータを含んでなる場合、ＤＣ−ＤＣコンバータの出力電圧をモニタリング（監視）するモニタ回路を設けて、出力電圧に応じてＤＣ−ＤＣコンバータの動作周波数を変更することで、ＤＣ−ＤＣコンバータの電力効率を向上させて消費電力の削減を図ることが考えられる。しかしながら、このようにモニタ回路を設けた場合、モニタ回路自体が電力を消費するため、ＤＣ−ＤＣコンバータとモニタ回路とを含む電源回路全体（或いは、このような電源回路を含む電気泳動表示装置全体）としての電力効率が低下してしまうという技術的問題点がある。特に、電気泳動表示装置の表示部の消費電力は、数マイクロワットという非常に少ない消費電力であるため、電気泳動表示装置の電源回路に上述したモニタ回路等の回路を追加することによる消費電力の増大は無視できない問題である。
【０００７】
本発明は、例えば上述した問題点に鑑みなされたものであり、部分書き換え駆動を採用した電気泳動表示装置において、消費電力を低減しつつ、高品質な画像を表示可能な電気泳動表示装置及び該電気泳動表示装置を備える電子機器を提供することを課題とする。
【課題を解決するための手段】
【０００８】
本発明の電気泳動表示装置は上記課題を解決するために、互いに対向する画素電極及び共通電極間に電気泳動粒子を含む電気泳動素子が夫々設けられた複数の画素からなる表示部と、画像データに基づいて、前記複数の画素のうち一部の画素における前記画素電極及び前記共通電極間に駆動電圧を印加することにより、前記表示部に表示されている画像を部分的に書き換える部分書き換え駆動を行う駆動部と、電源電圧を昇圧して前記駆動電圧を前記駆動部に供給する電源回路と、前記一部の画素が前記表示部において占める書き換え領域の面積に応じて、前記電源回路の前記駆動電圧を供給する駆動電圧供給能力を変化させるように、前記電源回路を制御する制御部とを備える。
【０００９】
本発明の電気泳動表示装置によれば、その動作時には、画像データに基づいて、複数の画素の各々における画素電極及び共通電極間に駆動電圧が駆動部によって印加されることにより、画素電極及び共通電極間に設けられた電気泳動素子が駆動されることで（即ち、電気泳動素子に含まれる電気泳動粒子が画素電極及び共通電極間で移動することで）、表示部に画像が表示される。駆動部は、電源回路から駆動電圧が供給されることで、各画素における画素電極及び共通電極間に駆動電圧を印加することが可能となる。電源回路は、例えば、チャージポンプ型のＤＣ−ＤＣコンバータ等の昇圧回路を有しており、例えば電池等の電源からの電源電圧（例えば３Ｖ）を駆動電圧（例えば１２Ｖ）に昇圧して駆動部に供給する。
【００１０】
本発明では、表示部に表示されている画像を書き換える際には、駆動部によって部分書き換え駆動が行われる。即ち、表示部に表示されている画像を書き換える際、画像が部分的にしか変化しない場合には、変化する部分に対応する画素（即ち、複数の画素のうち一部の画素）における画素電極及び共通電極間に駆動電圧が印加されると共に、変化しない部分に対応する画素（即ち、複数の画素のうち、一部の画素を除く他部の画素）における画素電極及び共通電極間に駆動電圧が印加されない。例えば、変化する部分に対応する画素における画素電極には、画像データに応じた画素電位が供給され、変化しない部分に対応する画素における画素電極には、共通電極に供給される共通電位と同一の電位が供給される。つまり、複数の画素のうち、変化する部分に対応する一部の画素のみにおける画素電極及び共通電極間に駆動電圧が印加されることで、該一部の画素が表示部において占める書き換え領域に表示されている画像部分が書き換えられる。このため、駆動部が画素電極及び共通電極間に駆動電圧を印加するために必要な駆動電力は、書き換え領域の面積（言い換えれば、変化する部分に対応する一部の画素の数）によって変化する。
【００１１】
本発明では特に、制御部は、書き換え領域の面積に応じて、電源回路の駆動電圧供給能力を変化させるように、電源回路を制御する。例えば、電源回路がチャージポンプ型のＤＣ−ＤＣコンバータを含んでなる場合には、制御部は、ＤＣ−ＤＣコンバータの動作周波数を、書き換え領域の面積に応じて変化させる。典型的には、制御部は、書き換え領域の面積が小さいほど、電源回路の駆動電圧供給能力が小さくなるように（言い換えれば、書き換え領域の面積が大きいほど、電源回路の駆動電圧供給能力が大きくなるように）、電源回路を制御する。言い換えれば、制御部は、書き換え領域の面積に応じた駆動電圧供給能力を有するように、電源回路を制御する。尚、本発明に係る「駆動電圧供給能力」は、電源回路が駆動部に駆動電圧を供給する能力を意味し、部分書き換え駆動を行う際に駆動部が一部の画素の各々に駆動電圧を印加するために必要な駆動電力を供給する「駆動電力供給能力」と言い換えることも可能である。
【００１２】
よって、電源回路の駆動電圧供給能力が書き換え領域の面積に応じて変化するので、例えば仮に、書き換え領域の面積に関わらず、電源回路の駆動電圧供給能力が、書き換え領域の面積が最大のときに必要とされる駆動電圧供給能力（即ち、表示部の全ての画素における画素電極及び共通電極間に駆動電圧を印加するために必要とされる駆動電圧供給能力）で一定である場合と比較して、電源回路自体で消費される消費電力を低減することができる。更に、電源回路は、書き換え領域の面積に応じて制御されるので、仮に電源回路を上述したモニタ回路を含んでなるように構成した場合と比較して、電源回路で消費される消費電力を低減することができる。従って、表示部に表示されている画像を書き換える際に消費される消費電力を低減することができる。加えて、書き換え面積に応じた駆動電圧供給能力で駆動電圧が駆動部に供給されるので、駆動部によって、書き換えるべき画素における画素電極及び共通電極間に駆動電圧を確実に印加することができる。よって、高品質な画像を表示することができる。
【００１３】
以上説明したように、本発明の電気泳動表示装置によれば、制御部は、書き換え領域の面積に応じて、電源回路の駆動電圧供給能力を変化させるように、電源回路を制御するので、消費電力を低減しつつ、高品質な画像を表示することができる。
【００１４】
本発明の電気泳動表示装置の一態様では、前記制御部は、前記書き換え領域の面積が小さいほど、前記駆動電圧供給能力が小さくなるように、前記電源回路を制御する。
【００１５】
この態様によれば、電源回路が、不必要に高い駆動電圧供給能力で動作することを抑制でき、電源回路で消費される消費電力を低減することができる。言い換えれば、書き換え領域の面積が小さい場合における電源回路の電力効率の低下を抑制することができる。
【００１６】
本発明の電気泳動表示装置の他の態様では、前記制御部は、前記画像データに基づいて前記書き換え領域の面積を算出する算出部を有する。
【００１７】
この態様によれば、制御部は、算出部によって画素データに基づいて算出した書き換え領域の面積に応じて、電源回路を確実に制御することができる。
【００１８】
本発明の電気泳動表示装置の他の態様では、前記電源回路は、発振動作を行うことにより、クロック信号を出力する発振回路と、前記クロック信号に基づいてチャージポンプ動作を行うことにより、前記電源電圧を前記駆動電圧に昇圧する昇圧回路とを有し、前記制御部は、前記書き換え領域の面積が小さいほど、前記クロック信号の周波数が低くなるように、前記発振回路を制御する。
【００１９】
この態様によれば、制御部によって、比較的容易に、書き換え領域の面積に応じて、電源回路の駆動電圧供給能力を変化させることができる。
【００２０】
本発明の電子機器は上記課題を解決するために、上述した本発明の電気泳動表示装置（但し、その各種態様も含む）を備える。
【００２１】
本発明の電子機器によれば、上述した本発明の電気泳動表示装置を具備してなるので、消費電力を低減可能な、例えば、腕時計、電子ペーパー、電子ノート、携帯電話、携帯用オーディオ機器などの各種電子機器を実現できる。
【００２２】
本発明の作用及び他の利得は次に説明する実施するための最良の形態から明らかにされる。
【発明を実施するための最良の形態】
【００２３】
以下では、本発明の実施形態について図を参照しつつ説明する。
【００２４】
先ず、本実施形態に係る電気泳動表示装置の全体構成について、図１及び図２を参照して説明する。
【００２５】
図１は、本実施形態に係る電気泳動表示装置の全体構成を示すブロック図である。
【００２６】
図１において、本実施形態に係る電気泳動表示装置１は、表示部３と、走査線駆動回路６０と、データ線駆動回路７０と、コントローラ１０と、電源回路２００とを備えている。
【００２７】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００２８】
コントローラ１０は、走査線駆動回路６０、データ線駆動回路７０及び電源回路２１０の動作を制御する。コントローラ１０は、外部から入力される画像データをメモリ１１に保持し、この画像データに基づいて、各種回路の動作を制御する。尚、本実施形態では特に、コントローラ１０は、書き換え面積（即ち、書き換えるべき領域の面積）を算出する書き換え面積算出部１２を有している。書き換え面積算出部１２については、後に説明する。
【００２９】
走査線駆動回路６０は、タイミング信号に基づいて、走査線Ｙ１、Ｙ２、…、Ｙｍの各々に走査信号をパルス的に順次供給する。データ線駆動回路７０は、タイミング信号に基づいて、データ線Ｘ１、Ｘ２、…、Ｘｎに画像信号を供給する。画像信号は、高電位レベル（以下「ハイレベル」という。例えば５Ｖ）又は低電位レベル（以下「ローレベル」という。例えば０Ｖ）の２値的なレベルをとる。
【００３０】
電源回路２００は、高電位電源線９１に高電位電源電位ＶＥＰを供給し、低電位電源線９２に低電位電源電位Ｖｓｓを供給し、共通電位線９３に共通電位Ｖｃｏｍを供給し、第１の制御線９４に第１の電位Ｓ１を供給し、第２の制御線９５に第２の電位Ｓ２を供給する。尚、ここでは図示を省略するが、高電位電源線９１、低電位電源線９２、共通電位線９３、第１の制御線９４及び第２の制御線９５の各々は、電気的なスイッチを介して電源回路２００に電気的に接続されている。また、各画素２０は、高電位電源線９１、低電位電源線９２、共通電位線９３、第１の制御線９４及び第２の制御線９５に電気的に接続されている。高電位電源線９１、低電位電源線９２、共通電位線９３、第１の制御線９４及び第２の制御線９５は夫々、典型的には図１中に示すように行方向（Ｘ方向）に沿って配列する画素２０からなる画素列毎に、画素列に属する画素２０に共通に配線される。
【００３１】
電源回路２００は、電源部２１０と、共通電位供給回路２２０と、本発明に係る「昇圧回路」の一例としてのＤＣ−ＤＣコンバータ２３０と、発振回路２４０とを備えている。
【００３２】
電源部２１０は、１次電池或いは２次電池であり、共通電位供給回路２２０、ＤＣ−ＤＣコンバータ２３０及び発振回路２４０に電力を供給している。電源部２１０は、電源電圧Ｖｄｃ（例えば３Ｖ）を出力する。尚、本実施形態では、電源部２１０は、共通電位供給回路２２０、ＤＣ−ＤＣコンバータ２３０及び発振回路２４０にのみ電力を供給しているが、これに限定されず、他の回路、例えばコントローラ１０等に電力を供給してもよい。
【００３３】
共通電位供給回路２２０は、共通電位線９３にスイッチ９３ｓ（図３参照）を介して電気的に接続されており、ＤＣ−ＤＣコンバータ２３０から印加される電圧に基づいて、共通電位Ｖｃｏｍを出力する。本実施形態では、共通電位供給回路２２０は、第１の制御線９４にスイッチ９４ｓ（図３参照）を介して電気的に接続されており、共通電位Ｖｃｏｍを第１の電位Ｓ１として第１の制御線９４に出力する。尚、共通電位線９３及び第１の制御線９４は、後述する高電位電源線９１、低電位電源線９２及び第２の制御線９５と共に、本発明に係る「駆動部」の一例を構成する。
【００３４】
ＤＣ−ＤＣコンバータ２３０は、高電位電源線９１にスイッチ９１ｓ（図３参照）を介して電気的に接続されており、電源部２１０から印加された電源電圧Ｖｄｃ（例えば３Ｖ）に基づいて、高電位ＶＨ（例えば１２Ｖ）を生成して高電位電源電位ＶＥＰとして出力する。
【００３５】
発振回路２４０は、例えばリングオシレータ等を含んでなる発振回路であり、ＤＣ−ＤＣコンバータ２３０にクロック信号を供給する。発振回路２４０は、コントローラ１０の制御下で、その出力するクロック信号の周波数を変更可能に構成されている。
【００３６】
また、電源回路２００は、グランドに電気的に接続されることにより低電位ＶＬとされた接地端子（図示省略）を備えており、この接地端子から低電位電源線９２に低電位ＶＬを低電位電源電位Ｖｓｓとして出力している。
【００３７】
尚、本実施形態では、第２の制御線９５は、スイッチ９５ｓ（図３参照）を介して、ＤＣ−ＤＣコンバータ２３０及び上述した接地電位と電気的に接続可能に構成されており、第２の制御線９５には、ＤＣ−ＤＣコンバータ２３０から出力される高電位ＶＨと接地端子から出力される低電位ＶＬとが切り替えられて第２の電位Ｓ２として出力される。
【００３８】
図２は、本実施形態に係るＤＣ−ＤＣコンバータの構成を示す回路図である。
【００３９】
図２において、ＤＣ−ＤＣコンバータ２３０は、チャージポンプ型のＤＣ−ＤＣコンバータであり、単位回路２３１、２３２及び２３３と、スイッチＳＷ４ａと、コンデンサＣ４とを備えている。ＤＣ−ＤＣコンバータ２３０は、その入力端子である端子Ａ１に電源部２１０から入力される電源電位Ｖｄｃ（例えば３Ｖ）を高めて、その出力端子である端子Ａ８から高電位ＶＨ（例えば１２Ｖ）を出力するように構成されている。
【００４０】
単位回路２３１、２３２及び２３３は、直列接続されている。即ち、単位回路２３１の出力端子である端子Ａ３と単位回路２３２の入力端子である端子Ａ４とが互いに接続され、単位回路２３２の出力端子である端子Ａ５と単位回路２３３の入力端子である端子Ａ６とが互いに接続されている。単位回路２３１の入力端子である端子Ａ２は、端子Ａ１に接続されており、電源電位Ｖｄｃが入力される。
【００４１】
単位回路２３１は、３つのスイッチＳＷ１ａ、ＳＷ１ｂ及びＳＷ１ｃと、１つのコンデンサＣ１とを有している。スイッチＳＷ１ａとスイッチＳＷ１ｃとは、互いの一端が直列接続されている。スイッチＳＷ１ａの他端は、電源電位Ｖｄｃが入力される端子Ａ２に接続され、スイッチＳＷ１ｃの他端は、グランドに接続されている。スイッチＳＷ１ｂは、端子Ａ２と端子Ａ３との間に接続されている。コンデンサＣ１は、スイッチＳＷ１ａとスイッチＳＷ１ｃとの接続点と、端子Ａ３との間に接続されている。
【００４２】
単位回路２３２は、３つのスイッチＳＷ２ａ、ＳＷ２ｂ及びＳＷ２ｃと、１つのコンデンサＣ２とを有している。スイッチＳＷ２ａとスイッチＳＷ２ｃとは、互いの一端が直列接続されている。スイッチＳＷ２ａの他端は、端子Ａ４に接続され、スイッチＳＷ２ｃの他端は、グランドに接続されている。スイッチＳＷ２ｂは、端子Ａ４と端子Ａ５との間に接続されている。コンデンサＣ２は、スイッチＳＷ２ａとスイッチＳＷ２ｃとの接続点と、端子Ａ５との間に接続されている。
【００４３】
単位回路２３３は、３つのスイッチＳＷ３ａ、ＳＷ３ｂ及びＳＷ３ｃと、１つのコンデンサＣ３とを有している。スイッチＳＷ３ａとスイッチＳＷ３ｃとは、互いの一端が直列接続されている。スイッチＳＷ３ａの他端は、端子Ａ６に接続され、スイッチＳＷ３ｃの他端は、グランドに接続されている。スイッチＳＷ３ｂは、端子Ａ６と端子Ａ７との間に接続されている。コンデンサＣ３は、スイッチＳＷ３ａとスイッチＳＷ３ｃとの接続点と、端子Ａ７との間に接続されている。
【００４４】
スイッチＳＷ４ａは、単位回路２３３の出力端子である端子Ａ７とＤＣ−ＤＣコンバータ２３０の出力端子である端子Ａ８との間に接続されている。コンデンサＣ４は、いわゆる平滑用コンデンサであり、一端がスイッチＳＷ４ａとＤＣ−ＤＣコンバータ２３０の出力端子である端子Ａ８との間に接続され、他端がグランドに接続されている。
【００４５】
このように構成されたＤＣ−ＤＣコンバータ２３０では、その動作時には、スイッチＳＷ１ａ、ＳＷ２ａ、ＳＷ３ａ及びＳＷ４ａからなるスイッチ群（以下、「第１スイッチ群」と称する）と、スイッチＳＷ１ｂ、ＳＷ１ｃ、ＳＷ２ｂ、ＳＷ２ｃ、ＳＷ３ｂ及びＳＷ３ｃからなるスイッチ群（以下、「第２スイッチ群」と称する）とが、発振回路２４０から供給されるクロック信号に基づいて、交互にオンオフが切り替わることで、端子Ａ１に入力される電源電位Ｖｄｃ（例えば３Ｖ）を高電位ＶＨ（例えば１２Ｖ）に高めて、出力端子である端子Ａ８から出力する。
【００４６】
即ち、先ず、第１スイッチ群がオフ、第２スイッチ群がオンとされることで、コンデンサＣ１、Ｃ２及びＣ３の各々に電源電圧Ｖｄｃが印加され、電荷が蓄えられる。次に、第１スイッチ群がオン、第２スイッチ群がオフとされることで、端子Ａ２と端子Ａ７との間でコンデンサＣ１、Ｃ２及びＣ３が直列接続された状態となる。これにより、ＤＣ−ＤＣコンバータ２３０の出力電位である高電位ＶＨは、入力電位である電源電位Ｖｄｃの４倍に上昇する。尚、本実施形態では、出力電位が入力電位である電源電位Ｖｄｃの４倍に上昇するようにＤＣ−ＤＣコンバータ２３０を構成したが、これに限定されず、例えば、端子Ａ７とスイッチＳｗ４ａとの間に、単位回路２３１等と同様の単位回路を更に設け、入力電位を５倍に上昇するように構成してもよい。
【００４７】
ここで、ＤＣ−ＤＣコンバータ２３０は、第１スイッチ群がオン、第２スイッチ群がオフとなったときに、各コンデンサＣ１、Ｃ２及びＣ３に蓄えられた電荷が移動し、出力電流Ｉｏｕｔを出力する。これにより、ＤＣ−ＤＣコンバータ２３０は、電気泳動表示装置１の表示部３に所定の電力、即ち、ＶＨ×Ｉｏｕtの電力を供給する電力供給能力を有する。
【００４８】
また、ＤＣ−ＤＣコンバータ２３０の出力電流Ｉｏｕｔの最大値は、第１スイッチ群及び第２スイッチ群の動作速度（つまり、オンオフが切り替わる速度）、即ち、発振回路２４０から入力されるクロック信号の周波数に応じて増減し、クロック信号の周波数が高くなると、ＤＣ−ＤＣコンバータ２３０の出力電流は増加することとなる（言い換えれば、ＤＣ−ＤＣコンバータ２３０の電力供給能力が高まる）。
【００４９】
図３は、画素の電気的な構成を示す等価回路図である。
【００５０】
図３において、画素２０は、画素スイッチング用トランジスタ２４と、メモリ回路２５と、スイッチ回路１１０と、画素電極２１と、共通電極２２と、電気泳動素子２３とを備えている。
【００５１】
画素スイッチング用トランジスタ２４は、例えばＮ型トランジスタで構成されている。画素スイッチング用トランジスタ２４は、そのゲートが走査線４０に電気的に接続されており、そのソースがデータ線５０に電気的に接続されており、そのドレインがメモリ回路２５の入力端子Ｎ１に電気的に接続されている。画素スイッチング用トランジスタ２４は、データ線駆動回路７０（図１参照）からデータ線５０を介して供給される画像信号を、走査線駆動回路６０（図１参照）から走査線４０を介してパルス的に供給される走査信号に応じたタイミングで、メモリ回路２５の入力端子Ｎ１に出力する。
【００５２】
メモリ回路２５は、インバータ回路２５ａ及び２５ｂを有しており、ＳＲＡＭ（Static Random Access Memory）として構成されている。
【００５３】
インバータ回路２５ａ及び２５ｂは、互いの入力端子に他方の出力端子が電気的に接続されたループ構造を有している。即ち、インバータ回路２５ａの入力端子とインバータ回路２５ｂの出力端子とが互いに電気的に接続され、インバータ回路２５ｂの入力端子とインバータ回路２５ａの出力端子とが互いに電気的に接続されている。インバータ回路２５ａの入力端子が、メモリ回路２５の入力端子Ｎ１として構成されており、インバータ回路２５ａの出力端子が、メモリ回路２５の出力端子Ｎ２として構成されている。
【００５４】
インバータ回路２５ａは、Ｎ型トランジスタ２５ａ１及びＰ型トランジスタ２５ａ２を有している。Ｎ型トランジスタ２５ａ１及びＰ型トランジスタ２５ａ２のゲートは、メモリ回路２５の入力端子Ｎ１に電気的に接続されている。Ｎ型トランジスタ２５ａ１のソースは、低電位電源電位Ｖｓｓが供給される低電位電源線９２に電気的に接続されている。Ｐ型トランジスタ２５ａ２のソースは、高電位電源電位ＶＥＰが供給される高電位電源線９１に電気的に接続されている。Ｎ型トランジスタ２５ａ１及びＰ型トランジスタ２５ａ２のドレインは、メモリ回路２５の出力端子Ｎ２に電気的に接続されている。
【００５５】
インバータ回路２５ｂは、Ｎ型トランジスタ２５ｂ１及びＰ型トランジスタ２５ｂ２を有している。Ｎ型トランジスタ２５ｂ１及びＰ型トランジスタ２５ｂ２のゲートは、メモリ回路２５の出力端子Ｎ２に電気的に接続されている。Ｎ型トランジスタ２５ｂ１のソースは、低電位電源電位Ｖｓｓが供給される低電位電源線９２に電気的に接続されている。Ｐ型トランジスタ２５ｂ２のソースは、高電位電源電位ＶＥＰが供給される高電位電源線９１に電気的に接続されている。Ｎ型トランジスタ２５ｂ１及びＰ型トランジスタ２５ｂ２のドレインは、メモリ回路２５の入力端子Ｎ１に電気的に接続されている。
【００５６】
メモリ回路２５は、その入力端子Ｎ１にハイレベルの画像信号が入力されると、その出力端子Ｎ２から低電位電源電位Ｖｓｓを出力し、その入力端子Ｎ１にローレベルの画像信号が入力されると、その出力端子Ｎ２から高電位電源電位ＶＥＰを出力する。即ち、メモリ回路２５は、入力された画像信号がハイレベルであるかローレベルであるかに応じて、低電位電源電位Ｖｓｓ又は高電位電源電位ＶＥＰを出力する。言い換えれば、メモリ回路２５は、入力された画像信号を、低電位電源電位Ｖｓｓ又は高電位電源電位ＶＥＰとして記憶可能に構成されている。
【００５７】
スイッチ回路１１０は、第１のトランスミッションゲート１１１及び第２のトランスミッションゲート１１２を備えている。
【００５８】
第１のトランスミッションゲート１１１は、Ｐ型トランジスタ１１１ｐ及びＮ型トランジスタ１１１ｎを備えている。Ｐ型トランジスタ１１１ｐ及びＮ型トランジスタ１１１ｎのソースは、第１の制御線９４に電気的に接続されている。Ｐ型トランジスタ１１１ｐ及びＮ型トランジスタ１１１ｎのドレインは、画素電極２１に電気的に接続されている。Ｐ型トランジスタ１１１ｐのゲートは、メモリ回路２５の入力端子Ｎ１に電気的に接続されており、Ｎ型トランジスタ１１１ｎのゲートは、メモリ回路２５の出力端子Ｎ２に電気的に接続されている。
【００５９】
第２のトランスミッションゲート１１２は、Ｐ型トランジスタ１１２ｐ及びＮ型トランジスタ１１２ｎを備えている。Ｐ型トランジスタ１１２ｐ及びＮ型トランジスタ１１２ｎのソースは、第２の制御線９５に電気的に接続されている。Ｐ型トランジスタ１１２ｐ及びＮ型トランジスタ１１２ｎのドレインは、画素電極２１に電気的に接続されている。Ｐ型トランジスタ１１２ｐのゲートは、メモリ回路２５の出力端子Ｎ２に電気的に接続されており、Ｎ型トランジスタ１１２ｎのゲートは、メモリ回路２５の入力端子Ｎ１に電気的に接続されている。
【００６０】
スイッチ回路１１０は、メモリ回路２５に入力される画像信号に応じて、第１の制御線９４及び第２の制御線９５のいずれか一方の制御線を択一的に選択して、その一方の制御線を画素電極２１に電気的に接続する。
【００６１】
具体的には、メモリ回路２５の入力端子Ｎ１にハイレベルの画像信号が入力されると、メモリ回路２５からＮ型トランジスタ１１１ｎ及びＰ型トランジスタ１１２ｐのゲートに低電位電源電位Ｖｓｓが出力されると共に、Ｐ型トランジスタ１１１ｐ及びＮ型トランジスタ１１２ｎのゲートに高電位電源電位ＶＥＰが出力されることにより、第２のトランスミッションゲート１１２を構成するＰ型トランジスタ１１２ｐ及びＮ型トランジスタ１１２ｎのみがオン状態となり、第１のトランスミッションゲート１１１を構成するＰ型トランジスタ１１１ｐ及びＮ型トランジスタ１１１ｎはオフ状態となる。一方、メモリ回路２５の入力端子Ｎ１にローレベルの画像信号が入力されると、メモリ回路２５からＮ型トランジスタ１１１ｎ及びＰ型トランジスタ１１２ｐのゲートに高電位電源電位ＶＥＰが出力されると共に、Ｐ型トランジスタ１１１ｐ及びＮ型トランジスタ１１２ｎのゲートに低電位電源電位Ｖｓｓが出力されることにより、第１のトランスミッションゲート１１１を構成するＰ型トランジスタ１１１ｐ及びＮ型トランジスタ１１１ｎのみがオン状態となり、第２のトランスミッションゲート１１２を構成するＰ型トランジスタ１１２ｐ及びＮ型トランジスタ１１２ｎはオフ状態となる。つまり、メモリ回路２５の入力端子Ｎ１にハイレベルの画像信号が入力された場合には、第２のトランスミッションゲート１１２のみがオン状態となり、一方、メモリ回路２５の入力端子Ｎ１にローレベルの画像信号が入力された場合には、第１のトランスミッションゲート１１１のみがオン状態となる。
【００６２】
複数の画素２０の各々の画素電極２１は、スイッチ回路１１０によって画像信号に応じて択一的に選択された第１の制御線９４又は第２の制御線９５に電気的に接続される。その際、複数の画素２０の各々の画素電極２１は、スイッチ９４ｓ又は９５ｓのオンオフ状態に応じて、第１の電位Ｓ１又は第２の電位Ｓ２が供給される、或いはハイインピーダンス状態とされる。
【００６３】
より具体的には、ローレベルの画像信号が供給される画素２０については、第１のトランスミッションゲート１１１のみがオン状態となり、その画素２０の画素電極２１は、第１の制御線９４に電気的に接続され、スイッチ９４ｓのオンオフ状態に応じて電源回路２１０から第１の電位Ｓ１が供給され、又は、ハイインピーダンス状態とされる。一方、ハイレベルの画像信号が供給される画素２０については、第２のトランスミッションゲート１１２のみがオン状態となり、その画素２０の画素電極２１は、第２の制御線９５に電気的に接続され、スイッチ９５ｓのオンオフ状態に応じて電源回路２１０から第２の電位Ｓ２が供給され、又は、ハイインピーダンス状態とされる。
【００６４】
画素電極２１は、電気泳動素子２３を介して共通電極２２と互いに対向するように配置されている。共通電極２２は、共通電位Ｖｃｏｍが供給される共通電位線９３に電気的に接続されている。
【００６５】
電気泳動素子２３は、電気泳動粒子をそれぞれ含んでなる複数のマイクロカプセルから構成されている。
【００６６】
次に、本実施形態に係る電気泳動表示装置の表示部の具体的な構成について、図４及び図５を参照して説明する。
【００６７】
図４は、本実施形態に係る電気泳動表示装置の表示部の部分断面図である。
【００６８】
図４において、表示部３は、素子基板２８と対向基板２９との間に電気泳動素子２３が挟持される構成となっている。尚、本実施形態では、対向基板２９側に画像を表示することを前提として説明する。
【００６９】
素子基板２８は、例えばガラスやプラスチック等からなる基板である。素子基板２８上には、ここでは図示を省略するが、図３を参照して上述した画素スイッチング用トランジスタ２４、メモリ回路２５、スイッチ回路１１０、走査線４０、データ線５０、高電位電源線９１、低電位電源線９２、共通電位線９３、第１の制御線９４、第２の制御線９５等が作り込まれた積層構造が形成されている。この積層構造の上層側に複数の画素電極２１がマトリクス状に設けられている。
【００７０】
対向基板２９は、例えばガラスやプラスチック等からなる透明な基板である。対向基板２９における素子基板２８との対向面上には、共通電極２２が複数の画素電極９ａと対向してベタ状に形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００７１】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。尚、本実施形態に係る電気泳動表示パネル１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されている。
【００７２】
マイクロカプセル８０は、画素電極２１及び共通電極２２間に挟持され、１つの画素２０内に（言い換えれば、１つの画素電極２１に対して）１つ又は複数配置されている。
【００７３】
図５は、マイクロカプセルの構成を示す模式図である。尚、図５では、マイクロカプセルの断面を模式的に示している。
【００７４】
図５において、マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。尚、白色粒子８２及び黒色粒子８３は、本発明に係る「電気泳動粒子」の一例である。
【００７５】
被膜８５は、マイクロカプセル８０の外殻として機能し、ポリメタクリル酸メチル、ポリメタクリル酸エチル等のアクリル樹脂、ユリア樹脂、アラビアゴム等の透光性を有する高分子樹脂から形成されている。
【００７６】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００７７】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００７８】
黒色粒子８３は、例えば、アニリンブラック、カーボンブラック等の黒色顔料からなる粒子（高分子或いはコロイド）であり、例えば正に帯電されている。
【００７９】
このため、白色粒子８２及び黒色粒子８３は、画素電極２１と共通電極２２との間の電位差によって発生する電場によって、分散媒８１中を移動することができる。
【００８０】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００８１】
図４及び図５において、画素電極２１と共通電極２２との間に、相対的に共通電極２２の電位が高くなるように電圧が印加された場合には、正に帯電された黒色粒子８３はクーロン力によってマイクロカプセル８０内で画素電極２１側に引き寄せられると共に、負に帯電された白色粒子８２はクーロン力によってマイクロカプセル８０内で共通電極２２側に引き寄せられる。この結果、マイクロカプセル８０内の表示面側（即ち、共通電極２２側）に白色粒子８２が集まることで、表示部３の表示面にこの白色粒子８２の色（即ち、白色）を表示することができる。逆に、画素電極２１と共通電極２２との間に、相対的に画素電極２１の電位が高くなるように電圧が印加された場合には、負に帯電された白色粒子８２がクーロン力によって画素電極２１側に引き寄せられると共に、正に帯電された黒色粒子８３はクーロン力によって共通電極２２側に引き寄せられる。この結果、マイクロカプセル８０の表示面側に黒色粒子８３が集まることで、表示部３の表示面にこの黒色粒子８３の色（即ち、黒色）を表示することができる。
【００８２】
尚、画素電極２１及び共通電極２２間における白色粒子８２及び黒色粒子８３の分布状態によって、白色と黒色との中間階調である、ライトグレー、グレー、ダークグレー等の灰色を表示することも可能である。また、白色粒子８２、黒色粒子８３に用いる顔料を、例えば赤色、緑色、青色等の顔料に代えることによって、赤色、緑色、青色等を表示することができる。
【００８３】
次に、上述した電気泳動表示装置の動作について、図６から図８を参照して説明する。尚、以下では、先ず、表示部３に表示されている画像を書き換える際、表示部３の複数の画素２０のうち一部の画素２０のみにおける画素電極２１及び共通電極２２間に電圧を印加することにより、画像を部分的に書き換える「部分書き換え駆動」について説明した後に、「部分書き換え駆動」時における、書き換え面積に応じた、コントローラ１０による電源回路２００の制御について説明する。
【００８４】
図６は、書き換え前の画像及び書き換え後の画像の一例を示す平面図である。
【００８５】
図６に示すように、以下では、表示部３に表示される画像が、図の左側に示す画像Ｐ１から図の右側に示す画像Ｐ２に書き換えられる場合を例にとり説明する。即ち、白い背景に描かれた縦方向の黒い帯が、横方向の帯へと変化する場合を例にとる。
【００８６】
図７は、書き換え前の階調及び書き換え後の階調の各々に応じて、画像を概念的な領域別に示す平面図である。
【００８７】
図７において、表示部３に表示される画像は、書き換え前の階調及び書き換え後の階調の各々に応じて、４つの領域に分けて考えることができる。具体的には、書き換え前の画像Ｐ１（図６参照）において白を表示している画素２０であって、書き換え後の画像Ｐ２において黒を表示する画素２０からなる領域Ｒｗｂ、書き換え前の画像Ｐ１において白を表示している画素２０であって、書き換え後の画像Ｐ２において白を表示する画素２０からなる領域Ｒｗｗ、書き換え前の画像Ｐ１において黒を表示している画素２０であって、書き換え後の画像Ｐ２において白を表示する画素２０からなる領域Ｒｂｗ、書き換え前の画像Ｐ１において黒を表示している画素２０であって、書き換え後の画像Ｐ２において黒を表示する画素２０からなる領域Ｒｂｂに分けることができる。
【００８８】
本実施形態では、「部分書き換え駆動」が採用されており、画像の書き換えは、以下のように、第１部分書換ステップ及び第２部分書換ステップの２つの部分書換ステップにより行われる。
【００８９】
第１部分書換ステップにおいては、黒から白に書き換えられるべき画素２０（つまり、領域Ｒｂｗにおける画素２０）のみにおける画素電極２１及び共通電極２２間に所定の駆動電圧（例えば１２Ｖ）が印加される。
【００９０】
具体的には、第１部分書き換えステップにおいては、領域Ｒｗｗ、領域Ｒｗｂ及び領域Ｒｂｂに対応する画素電極２１に対して、第１の電位Ｓ１として共通電位Ｖｃｏｍが供給される。即ち、電源回路２００から出力された共通電位Ｖｃｏｍが、第１の制御線９４を介して供給される。よって、領域Ｒｗｗ、領域Ｒｗｂ及び領域Ｒｂｂにおける画素では、画素電極２１及び共通電極２２間の電位差が発生しない（即ち、画素電極２１及び共通電極２２間に駆動電圧が印加されない）。従って、画素の階調はそのまま維持される。他方で、領域Ｒｂｗに対応する画素電極２１に対しては、第２の電位Ｓ２として低電位ＶＬが供給される。即ち、電源回路２００から出力された低電位ＶＬが、第２の制御線９５を介して供給される。低電位ＶＬ（例えば０Ｖ）は白に対応しており（つまり、低電位ＶＬとされた画素電極２１と、共通電位Ｖｃｏｍが供給されることで高電位ＶＨとされた共通電極２２との間では、例えば負に帯電された白色粒子８２は、共通電極２２側に移動すると共に例えば正に帯電された黒色粒子８３は画素電極２１側に移動するので）、領域Ｒｂｗにおける画素の階調は黒から白に書き換えられる。
【００９１】
第１部分書き換えステップに続く第２部分書換ステップにおいては、白から黒に書き換えられるべき画素２０（つまり、領域Ｒｗｂにおける画素２０）のみにおける画素電極２１及び共通電極２２間に所定の駆動電圧（例えば１２Ｖ）が印加される。
【００９２】
具体的には、第２部分書き換えステップにおいては、領域Ｒｗｗ、領域Ｒｂｗ及び領域Ｒｂｂに対応する画素電極２１に対して、第１の電位Ｓ１として共通電位Ｖｃｏｍが供給される。即ち、電源回路２００から出力された共通電位Ｖｃｏｍが、第１の制御線９４を介して供給される。よって、領域Ｒｗｗ、領域Ｒｂｗ及び領域Ｒｂｂにおける画素では、画素電極２１及び共通電極２２間の電位差が発生しない（即ち、画素電極２１及び共通電極２２間に駆動電圧が印加されない）。従って、画素の階調はそのまま維持される。他方で、領域Ｒｗｂに対応する画素電極２１に対しては、第２の電位Ｓ２として高電位ＶＨが供給される。即ち、電源回路２００から出力された高電位ＶＨが、第２の制御線９５を介して供給される。高電位ＶＨ（例えば１２Ｖ）は黒に対応しており（つまり、高電位ＶＨとされた画素電極２１と、共通電位Ｖｃｏｍが供給されることで低電位ＶＬとされた共通電極２２との間では、例えば正に帯電された黒色粒子８３は、共通電極２２側に移動すると共に例えば負に帯電された白色粒子８２は画素電極２１側に移動するので）、領域Ｒｗｂにおける画素の階調は白から黒に書き換えられる。
【００９３】
このように、画像Ｐ１は画像Ｐ２へと２段階に分けて書き換えられる。
【００９４】
ここで、各部分書き換えステップにおいて、画素電極２１及び共通電極２２間に駆動電圧を印加するために必要な駆動電力は、書き換えるべき領域（例えば、第１部分書き換えステップにおける領域Ｒｂｗ、第２部分書き換えステップにおける領域Ｒｗｂ）の面積によって変化する。つまり、書き換えるべき領域の面積（以下、「書き換え面積」と適宜称する）の大きさによって、書き換えるべき領域における画素２０の画素電極２１及び共通電極２２間を流れる電流の総電流量が変化し、電気泳動表示装置１の負荷が変化する。即ち、例えば、書き換え面積が大きいほど、電気泳動表示装置１の負荷が高くなり、書き換え面積が小さいほど、電気泳動表示装置１の負荷は低くなる。
【００９５】
そこで、本実施形態では特に、コントローラ１０は、電源回路２００を、書き換え面積に応じて制御する。
【００９６】
再び図２において、コントローラ１０は、書き換え面積算出部１２を有している。書き換え面積算出部１２は、メモリ１１に保持された画像データに基づいて、書き換え面積を算出する。
【００９７】
図８は、本実施形態における、コントローラによる電源回路の制御方法を示すフローチャートである。
【００９８】
尚、以下では、図６を参照して上述したように、表示部３に表示される画像が、図の左側に示す画像Ｐ１から図の右側に示す画像Ｐ２に書き換えられる場合を例にとり説明する。
【００９９】
図８において、先ず、画像データが決定される（ステップＳ１０）。即ち、画像Ｐ１が表示されている状態において、新たに表示すべき画像として画像Ｐ２に係る画像データがコントローラ１００によって決定される。
【０１００】
次に、書き換え面積算出部１２によって書き換え面積が算出される（ステップＳ２０）。即ち、書き換え面積算出部１２は、画像Ｐ１に係る画像データと画像Ｐ２に係る画像データとに基づいて、書き換えるべき領域（例えば図７を参照して上述した領域Ｒｂｗ或いはＲｗｂ）を特定し、その特定した領域の面積（即ち、書き換え面積）を算出する。
【０１０１】
次に、ＤＣ−ＤＣコンバータ２３０の駆動周波数が決定される（ステップＳ３０）。即ち、コントローラ１０は、例えば、書き換え面積とＤＣ−ＤＣコンバータ２３０の駆動周波数とが対応付けられたルックアップテーブルに基づいて、ＤＣ−ＤＣコンバータ２３０の駆動周波数を決定する。この際、コントローラ１０は、書き換え面積が小さいほど、低くなるように、ＤＣ−ＤＣコンバータ２３０の駆動周波数を決定する。更に、コントローラ１０は、その決定した駆動周波数を有するクロック信号を出力するように、発振回路２４０を制御する。言い換えれば、コントローラ１０は、書き換え面積が小さいほど、クロック信号の周波数が低くなるように、発振回路２４０を制御することにより、書き換え面積が小さいほど、低い駆動周波数で動作するように、ＤＣ−ＤＣコンバータ２３０を制御する。よって、書き換え面積が小さいほど、ＤＣ−ＤＣコンバータ２３０の電力供給能力を低下させることができる（言い換えれば、書き換え面積が大きいほど、ＤＣ−ＤＣコンバータ２３０の電力供給能力を向上させることができる）。
【０１０２】
次に、書き換え面積に応じた駆動周波数で動作するＤＣ−ＤＣコンバータ２３０によって生成された電圧によって、表示部３が駆動される（ステップＳ４０）。即ち、書き換え面積に応じた駆動周波数で動作するＤＣ−ＤＣコンバータ２３０によって生成された高電位ＶＨに基づく駆動電圧が、書き換えるべき領域における画素２０の画素電極２１及び共通電極２２間に印加されることにより、書き換えるべき領域の画像が書き換えられる。
【０１０３】
本実施形態では特に、上述したように、コントローラ１０は、書き換え面積が小さいほど、クロック信号の周波数が低くなるように、発振回路２４０を制御することにより、書き換え面積が小さいほど、低い駆動周波数で動作するように、ＤＣ−ＤＣコンバータ２３０を制御する。よって、例えば仮に、書き換え面積に関わらず、ＤＣ−ＤＣコンバータ２３０の駆動周波数が所定の周波数（即ち、書き換え面積が最大のときに必要とされる駆動周波数）で一定である場合と比較して、ＤＣ−ＤＣコンバータ２３０におけるスイッチＳＷ１ａ、ＳＷ１ｂ、ＳＷ１ｃ、ＳＷ２ａ、ＳＷ２ｂ、ＳＷ２ｃ、ＳＷ３ａ、ＳＷ３ｂ、ＳＷ３ｃ及びＳＷ４ａのスイッチング動作によって消費される消費電力を低減することができる。更に、ＤＣ−ＤＣコンバータ２３０は、書き換え面積に応じて制御されるので、仮に電源回路２００を、ＤＣ−ＤＣコンバータ２３０の出力電圧をモニタリングするモニタ回路を含んでなるように構成した場合と比較して、電源回路２００で消費される消費電力を低減することができる。従って、表示部３に表示されている画像を書き換える際に消費される消費電力を低減することができる。加えて、書き換え面積に応じた電力が電源回路２００から表示部３に供給されるので、書き換えるべき画素２０における画素電極２１及び共通電極２２間に駆動電圧（例えば１２Ｖ）を確実に印加することができる。よって、高品質な画像を表示することができる。
【０１０４】
以上説明したように、本実施形態に係る電気泳動表示装置１によれば、コントローラ１０は、書き換え面積が小さいほど、クロック信号の周波数が低くなるように、発振回路２４０を制御することにより、書き換え面積が小さいほど、低い駆動周波数で動作するように、ＤＣ−ＤＣコンバータ２３０を制御するので、消費電力を低減しつつ、高品質な画像を表示することができる。
＜電子機器＞
次に、上述した電気泳動表示装置を適用した電子機器について、図９及び図１０を参照して説明する。以下では、上述した電気泳動表示装置を電子ペーパー及び電子ノートに適用した場合を例にとる。
【０１０５】
図９は、電子ペーパー１４００の構成を示す斜視図である。
【０１０６】
図９に示すように、電子ペーパー１４００は、上述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【０１０７】
図１０は、電子ノート１５００の構成を示す斜視図である。
【０１０８】
図１０に示すように、電子ノート１５００は、図９で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１０９】
上述した電子ペーパー１４００及び電子ノート１５００は、上述した実施形態に係る電気泳動表示装置を備えるので、消費電力を低減しつつ、高品質な画像表示を行うことが可能である。
【０１１０】
尚、これらの他に、腕時計、携帯電話、携帯用オーディオ機器などの電子機器の表示部に、上述した本実施形態に係る電気泳動表示装置を適用することができる。
【０１１１】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置及び該電気泳動表示装置を備える電子機器もまた本発明の技術的範囲に含まれるものである。
【図面の簡単な説明】
【０１１２】
【図１】本実施形態に係る電気泳動表示装置の全体構成を示すブロック図である。
【図２】本実施形態に係るＤＣ−ＤＣコンバータの構成を示す回路図である。
【図３】画素の電気的な構成を示す等価回路図である。
【図４】本実施形態に係る電気泳動表示装置の表示部の部分断面図である。
【図５】マイクロカプセルの構成を示す模式図である。
【図６】書き換え前の画像及び書き換え後の画像の一例を示す平面図である。
【図７】本実施形態に係る、書き換え前の階調及び書き換え後の階調の各々に応じて、画像を概念的な領域別に示す平面図である。
【図８】本実施形態における、コントローラによる電源回路の制御方法を示すフローチャートである。
【図９】電気泳動表示装置を適用した電子機器の一例たる電子ペーパーの構成を示す斜視図である。
【図１０】電気泳動表示装置を適用した電子機器の一例たる電子ノートの構成を示す斜視図である。
【符号の説明】
【０１１３】
３…表示部、１０…コントローラ、２０…画素、２１…画素電極、２２…共通電極、２３…電気泳動素子、２４…画素スイッチング用トランジスタ、２５…メモリ回路、２８…素子基板、２９…対向基板、８０…マイクロカプセル、８２…白色粒子、８３…黒色粒子、９１…高電位電源線、９２…低電位電源線、９３…共通電位線、９４…第１の制御線、９５…第２の制御線、１１０…スイッチ回路、２００…電源回路、２１０…電源部、２２０…共通電位供給回路、２３０…ＤＣ−ＤＣコンバータ、２４０…発振回路
【図１】
2009294569.tif 000003
【図２】
2009294569.tif 000004
【図３】
2009294569.tif 000005
【図４】
2009294569.tif 000006
【図５】
2009294569.tif 000007
【図６】
2009294569.tif 000008
【図７】
2009294569.tif 000009
【図８】
2009294569.tif 000010
【図９】
2009294569.tif 000011
【図１０】
2009294569.tif 000012